(57)【要約】【課題】走行負荷を増加させることなく摺接部の走行面の清掃が十分に行え、特に、絨毯に付着した毛などの除去も行える吸込口体およびこれを備えた電気掃除機を提供する。【解決手段】本吸込口体は、ケース体に設けた吸込口に回転可能に軸支された回転清掃体と、この回転清掃体の両側を軸支する軸受部を覆いかつ、ケース体の下面に設けられ、被清掃面に接する一対の摺接部と、この摺接部の表面前側に設けられ、短い毛の短起毛布と、この毛短起毛布の後側に設けられ、毛短起毛布より長い毛の長起毛布とを具備する。【選択図】  図３
2010035793.tif 000002
【特許請求の範囲】
【請求項１】
ケース体と、
このケース体に開口形成された吸込口と、
この吸込口に回転可能に軸支された回転清掃体と、
この回転清掃体の両側を軸支する軸支部を覆いかつ、前記ケース体の下面に設けられ、被清掃面に接する一対の摺接部と、
この摺接部の表面前側に設けられ、短い毛の短起毛布と、
この短起毛布の後側に設けられ、短起毛布より長い毛の長起毛布とを具備することを特徴とする吸込口体。
【請求項２】
前記ケース体の下面が被清掃面と非接触状態で、前記短起毛布の先端は、前記長起毛布の先端より低く、両先端間に段差を設けることを特徴とする請求項１に記載の吸込口体。
【請求項３】
前記ケース体の下面が被清掃面と非接触状態で、前記短起毛布の取付面と、前記長起毛布の取付面に段差が設けられ、両先端の高さがほぼ一致することを特徴とする請求項１に記載の吸込口体。
【請求項４】
前記摺接部の外側には、回転清掃体と供回りするサイドブラシが設けられることを特徴とする請求項１ないし３のいずれか１項に記載の吸込口体。
【請求項５】
電動送風機を収容した掃除機本体と、
この掃除機本体に対して前記電動送風機の吸込側に連通接続される請求項１ないし４のいずれか１項に記載の吸込口体とを具備することを特徴とする電気掃除機。
【発明の詳細な説明】
【技術分野】
【０００１】
本発明は吸込口体および電気掃除機に係り、特に下面構造を改良した吸込口体およびこれを備えた電気掃除機に関する。
【背景技術】
【０００２】
従来、この種の電気掃除機は、電動送風機を収容した掃除機本体を備え、この掃除機本体には、電動送風機の吸込側に連通する集塵部が設けられ、この集塵部は、掃除機本体に形成された本体吸込口と連通している。
【０００３】
この本体吸込口には、ホース体、延長管および吸込口体としての床ブラシが順次連通接続される。
【０００４】
この床ブラシは、平面視で横長の四角形状のケース体を備え、このケース体の被掃除面である床面に対向する下部には、吸込口が開口形成されている。
【０００５】
この吸込口には、床面の塵埃を掻き取る回転清掃体である回転ブラシが回転自在に配置され、この回転ブラシは、ケース体内に配置された駆動手段であるモータによって回転駆動される。また、この回転ブラシの端部には、回転ブラシの回転に伴って回転して床面の塵埃を吸込口へと運ぶ清掃部としての毛ブラシ部が設けられている（例えば、特許文献１参照。）。
【特許文献１】特開２００５−２５３６５６号公報
【発明の開示】
【発明が解決しようとする課題】
【０００６】
従来の吸込口体では、ケース体の下面から外方に突出し、被清掃面に接する一対の摺接部で、回転ブラシの両側を軸支する軸受部を覆っており、掃除時、摺接部を被清掃面に当接させた状態で、吸込口体を被清掃面に沿って移動させて、被清掃面に付着する塵埃を吸着している。
【０００７】
しかしながら、従来の吸込口体は、摺接部が被清掃面に沿って滑らかにすべるように、合成樹脂などの材質そのままの状態であり、円滑なすべりは実現するが、摺接部の走行面の清掃が十分に行われていなかった。特に、絨毯に付着した毛などは、吸込口に生じる負圧では吸引できず、十分な掃除ができない。
【０００８】
本発明は、上記に鑑みなされたもので、走行負荷を増加させることなく摺接部の走行面の清掃が十分に行え、特に、絨毯に付着した毛などの除去も行える吸込口体およびこれを備えた電気掃除機を提供することを目的とする。
【課題を解決するための手段】
【０００９】
上述した目的を達成するため、本発明に係る吸込口体は、ケース体と、このケース体に開口形成された吸込口と、この吸込口に回転可能に軸支された回転清掃体と、この回転清掃体の両側を軸支する軸支部を覆いかつ、前記ケース体の下面に設けられ、被清掃面に接する一対の摺接部と、この摺接部の表面前側に設けられ、短い毛の短起毛布と、この短起毛布の後側に設けられ、短起毛布より長い毛の長起毛布とを具備する。
【００１０】
また、本発明に係る電気掃除機は電動送風機を収容した掃除機本体と、この掃除機本体に対して前記電動送風機の吸込側に連通接続される上記吸込口体とを具備することを特徴とする。
【発明の効果】
【００１１】
本発明に係る吸込口体およびこれを備えた電気掃除機によれば、走行負荷を増加させることなく摺接部の走行面の清掃が十分に行え、特に、絨毯に付着した毛などの除去も行える吸込口体およびこれを備えた電気掃除機を提供することができる。
【発明を実施するための最良の形態】
【００１２】
本発明に係る吸込口体およびこれを備えた電気掃除機の一実施形態について添付図面を参照して説明する。
【００１３】
図１は本発明の一実施形態の電気掃除機の概念図、図２は本発明の一実施形態の吸込口体の斜視図、図３は本発明の一実施形態の吸込口体の底面図、図４は本吸込口体のケース体を除去した平面図、図５は本吸込口体の回転ブラシ及びカバー体を除去した平面図である。
【００１４】
図１に示すように、本実施形態の電気掃除機５１は、掃除機本体５２を備え、この掃除機本体５２は、内部に収容された電動送風機５３の駆動にて生じる吸気風とともに吸い込んだ塵埃を、集塵部に捕集する。
【００１５】
また、掃除機本体５２には、電動送風機５３の動作を制御する制御手段としての図示しない制御回路が収容されているとともに、外部から空気を吸引する本体吸込口５４が前部に開口される。この本体吸込口５４には、可擁性を有し湾曲可能な細長略円筒状のホース体５５が連通接続される。
【００１６】
このホース体５５の先端には、電動送風機５３の動作モードなどが選択可能な手元操作部５６が設けられる。この手元操作部５６には、掃除する際に作業者が把持する把持部５７が基端側に向けて突設され、この把持部５７には、制御回路に所定の信号を送信して掃除機本体５２内の電動送風機５３などを複数の動作モードに設定する複数の設定ボタン５８が設けられている。
【００１７】
さらに、手元操作部５６の先端には、伸縮可能な細長略円筒状の延長管５９が着脱可能に連通接続される。すなわち、延長管５９は、ホース体５５を介して電動送風機５３の吸込側に連通接続される。また、この延長管５９の先端には、例えば室内の被掃除面としての床面の絨毯などの上に載置させて、この絨毯上の塵埃を吸い込む本発明の吸込口体としての床ブラシ１が着脱可能に連通接続されている。
【００１８】
したがって、床ブラシ１は、延長管５９、ホース体５５および本体吸込口５４を介して、電動送風機５３の吸込側に連通接続される。
【００１９】
図２及び図３に示すように、吸込口体としての床ブラシ１は、吸込口体本体としての横長のケース体２と、このケース体２の後部に設けられた接続管３とを備える。
【００２０】
ケース体２は、上側が開放された下ケース４と、この下ケース４の上部の後側を覆い、下ケース４との間で接続管３を回転可能に挟持する上ケース５と、この上ケース５の前部に取り付けられた蓋部としての前カバー６とを備える。
【００２１】
下ケース４には、前端部に、回転ブラシ７を収容する横長四角形状の吸込口８が左右略々全幅に亘って切り欠き形成され、また、吸込口８の両端に設けられる一対の摺接部９ａ、９ｂを隔てて駆動車輪１０ａ、１０ｂを収容する車輪収容部１１ａ、１１ｂが形成され、さらに、この車輪収容部１１ａ、１１ｂの側面部を含む下ケース４の外周には、ケース体２に比べて柔らかい材質からなるバンパー部材１２ａ、１２ｂが設けられる。
【００２２】
また、下ケース４の後側寄りの一側には、床面に接触可能な車輪１３が設けられる。
【００２３】
さらに、この下ケース４には、床面に対向する下面側に、一対のカバー体１４ａ、１４ｂがそれぞれ着脱可能にロック部材１５ａ、１５ｂにより取り付けられる。
【００２４】
図４に示すように、ケース体２には、駆動手段としての電動部である駆動源、すなわちモータ１６と、このモータ１６により回転される回転清掃体としての上記回転ブラシ７と、この回転ブラシ７の両端部に位置するとともにこの回転ブラシ７と一体的に回転可能な駆動車輪１０ａ、１０ｂと、回転ブラシ７の安全スイッチとなる安全装置１７とがそれぞれ設けられる。
【００２５】
安全装置１７は、床面に接触可能な車輪１３を備え、この車輪１３が、穴部４ａから下ケース４の下方へと露出している。また、安全装置１７は、モータ制御部と電気的に接続されており、車輪１３が床面に接触することでモータ制御部によるモータ１６の駆動を許可するとともに、車輪１３が床面から離間されるとモータ制御部によるモータ１６の駆動を許可しないように構成される。さらに、この安全装置１７は、例えば床面と接触した車輪１３の回転方向によって床ブラシ１の走行方向を検出し、この走行方向に応じて、回転ブラシ７の回転方向を切り換えるようにモータ制御部へと信号を出力可能となっている。
【００２６】
図５に示すように、下ケース４の吸込口８の後部には、上ケース５側へと略垂直状に立ち上がる壁部１８が形成される。なお、図４に示すように、吸込口８は連通路Ｒによって接続管３に連通される。
【００２７】
下ケース４には、吸込口８の両側部の位置で、摺接部９ａ、９ｂの裏面には、軸支部１９ａ、１９ｂが壁部１８に連続して形成され、軸支部１９ａ、１９ｂには、軸受円板２０ａおよび、図６に示す軸受円板２０ｂを各々回転自由に支持する円弧状の軸受溝２１ａ、２１ｂが形成される。
【００２８】
また、軸支部１９ａ、１９ｂには軸受溝２１ａ、２１ｂの各々内側に隣接して、プーリ収容溝２２ａ、カップリング収容溝２２ｂが設けられる。
【００２９】
従って、下ケース４に設けられる吸込口８、プーリ収容溝２２ａ、カップリング収容溝２２ｂおよび車輪収容部１１ａ、１１ｂには、図６に示す回転体組立２３が収容可能になる。
【００３０】
図６に示すように、この回転体組立２３は、少なくとも一端を連結軸２４で回転支持される回転ブラシ７と、この回転ブラシ７の一側（図中左側）に設けられ、ブラシ側カップリング２５ａ１と軸受側カップリング２５ａ２からなるカップリング２５ａと、結合用のギヤ部２６ａを備え、このギヤ部２６ａを介して軸受側カップリング２５ａ２が固着され、表面がギヤ歯状に形成された従動プーリ２６と、従動プーリ２６に連設された軸受円板２０ａと、この軸受円板２０ａの外側に設けられた駆動車輪１０ａを備え、これらはいずれも連結軸２４に取り付けられる。
【００３１】
一方、回転ブラシ７の他側（図中右側）には、同様にカップリング２５ｂ、軸受円板２０ｂ、駆動車輪１０ｂを備え、これらは連結軸（図示せず）に取り付けられる。
【００３２】
図５および図７に示すように、回転体組立２３が下ケース４に収容された状態では、軸受溝２１ａには、軸受円板２０ａが回転自在に収容支持され、プーリ収容溝２２ａには、連結軸２４に嵌合固定され、いずれも図４に示すモータ１６、駆動プーリ２７により走行するベルト２８によって回転される従動プーリ２６が回転自在に収容され、さらに、プーリ収容溝２２ａには、軸側カップリング２５ａ１およびこの軸側カップリング２５ａ１に結合するブラシ側カップリング２５ａ２が収容され、車輪収容部１１aには駆動車輪１０aが収容される。
【００３３】
一方、軸受溝２１ｂには、いずれも図６に示す軸受円板２０ｂが回転自在に収容支持され、カップリング収容溝２２ｂには、カップリング２５ｂが収容され、車輪収容部１１ｂには駆動車輪１０ｂが収容される。
【００３４】
従って、回転ブラシ７および駆動車輪１０ａ、１０ｂは、軸受円板２０ａ、２０ｂおよび軸受溝２１ａ、２１ｂを介して、軸支部１９ａ、１９ｂによって回転自由に軸支される。また、回転ブラシ７および駆動車輪１０ｂは、一体的あるいはカップリング２５ｂで分離して、下ケース４から容易に取り外せる。
【００３５】
再び図５および図７に示すように、回転ブラシ７は、取付部材としての略円柱状の回転ブラシ組立３１の周囲に、複数の清掃部材３２が取り付けられている。回転ブラシ組立３１は、例えば金属、あるいは合成樹脂などにより形成されている。また、この回転ブラシ組立３１の外周面には、各清掃部材３２の基端側を保持する溝部３３が、周方向に略均等に螺旋状に形成されている。
【００３６】
清掃部材３２は、例えば拭取部材であるブレード、掻取部材であるブラシ毛、あるいはこれらの組み合わせなどであり、基端側が回転ブラシ組立３１の溝部３３にそれぞれ保持されることにより、回転ブラシ組立３１の外周面に対して、この回転ブラシ組立３１の軸方向に沿う螺旋壁状で、かつ回転ブラシ組立３１の径方向に先端側が突出している。
【００３７】
駆動車輪１０ａ、１０ｂは外周面が平坦な円筒面状に形成され、この外周面に短い毛の不繊布３４ａ、３４ｂが取り付けられ、さらに、この不繊布３４ａ、３４ｂの上に、回転方向に例えば２０〜３０°の角度に傾いて長い毛の不繊布３５ａ、３５ｂが帯状に取り付けられる。
【００３８】
前カバー６は、軸支部１９ａ、１９ｂの両端間に亘って連続した横長状に形成されており、断面視で回転ブラシ７および軸支部１９ａ、１９ｂの外周に沿って延び、これら回転ブラシ７および軸支部１９ａ、１９ｂの前側を覆っている。また、この前カバー６の上端部は、上ケース５の先端部に回動可能に軸支され、バネ部材（図示せず）によって、常時上方に付勢されている。
【００３９】
図８に示すように、下ケース４の下面側に設けるカバー体１４ａには、図６に示す軸支部１９ａを覆い、吸込口８の一部を画定するように、外方に突出し、被清掃面に接する摺接部９ａが設けられる。
【００４０】
この摺接部９ａの表面は滑らかな円弧形状をなし、前側（掃除時の床ブラシの前進側）には、短い毛の短起毛布３６ａが取り付けられ、この短起毛布３６ａの後側には、短起毛布３６ａより長い毛の長起毛布３７ａが取り付けられる。
【００４１】
図９に示すように、ケース体２の下面が被清掃面と非接触状態で、短起毛布３６ａの先端３６ａ１は、長起毛布３７ａの先端３７ａ１より低く（下面に近く）、両先端３６ａ１、３７ａ１間に段差ｈを設けるのが好ましい。段差ｈがある場合、掃除時に被掃除面に対し段差が無くなり、長起毛布で滑らかに移動ができ、短起毛布で被掃除面に対し掃き掃除ができるようになり床面や絨毯上で塵埃を掻き取り易くなる。
【００４２】
また、短起毛布３６ａの先端３６ａ１及び長起毛布３７ａの先端３７ａ１は、共に後方（掃除時の床ブラシの後退側）に向いている。
【００４３】
なお、図１０に示すように、ケース体２の下面が被清掃面と非接触状態で、短起毛布３６ａの取付面と、長起毛布３７ａの取付面に段差が設けられ、両先端３６ａ１、３７ａ１の高さがほぼ一致するようにしてもよい。取付面に段差がある場合、各起毛布でさらに滑らかに移動ができ、塵埃を捕らえることが可能となり確実に掻き取り易くなる。
【００４４】
床ブラシ１の後退時、短起毛布３６ａの先端３６ａ１で絨毯表面に絡まる毛などをより確実に掻き取り易くなる。
【００４５】
図９および図１０に示す構造において、両先端３６ａ１、３７ａ１間に段差ｈがある場合、掃除時に被掃除面に対し段差が無くなり、長起毛布で滑らかに移動ができ、短起毛布で被掃除面に対し掃き掃除ができるようになり床面や絨毯上で塵埃を掻き取り易くなる。これに対して、
図１１に示すように、軸支部１９ａ（図５）を覆うように、カバー体１４ｂには、摺接部９ｂが設けられ、この摺接部９ｂには、摺接部９ａと同様に、短起毛布３６ｂと長起毛布３７ｂが取り付けられる。
【００４６】
なお、図３に示すカバー体１４ａ、１４ｂの短起毛布３６ａ、３６ｂと長起毛布３７ａ、３７ｂの走行方向の延長線上には、後側長起毛布３８ａ、３８ｂが取り付けられ、床ブラシ１の走行を容易にする。
【００４７】
図中符号３９は補助車輪であり、表面は起毛布で覆われている。
【００４８】
次に本発明に係る電気掃除機を用いた掃除について説明する。
【００４９】
掃除の際には、まず、作業者は、掃除機本体５２の本体吸込口５４に、ホース体５５、延長管５９および床ブラシ１を順次連通接続する。
【００５０】
さらに、作業者が、掃除機本体５２から電源コードを引き出して図示しないコンセントに接続した後、把持部５７を把持して所定の設定ボタン５８を操作すると、この設定ボタン５８により設定された動作モードに応じて電動送風機５３が駆動される。
【００５１】
そして、作業者は、把持部５７を把持して床面上で床ブラシ１を前後に走行させる。駆動車輪１０ａ、１０ｂは回転して、床ブラシ１の走行を助ける。
【００５２】
床ブラシ１の走行により、吸込口８および車輪収容部１１ａ、１１ｂから塵埃を空気とともに吸い込む。
【００５３】
このとき、摺接部９ａ、９ｂは下方に面しているので、摺接部９ａ、９ｂが被掃除面に当接し、さらに、摺接部９ａ、９ｂに取り付けられた長起毛布３７ａ、３７ｂを介して走行負荷を増加させることなく、床ブラシ１を滑らかに進退する。また、車輪１３が床面に接触することで、安全装置１７の機能によって、回転ブラシ７および駆動車輪１０ａ、１０ｂの回転が可能となっている。例えば、床ブラシ１を前方へと走行（前進）させた場合には、車輪１３が前転（正転）し、床ブラシ１を後方へと走行（後退）させた場合には、車輪１３が後転（逆転）するので、この車輪１３の回転方向に応じて、モータ制御部がモータ１６の回転方向を、車輪１３の回転方向と同方向となるように制御する。
【００５４】
この結果、モータ１６の回転が駆動プーリ２７およびベルト２８を介して従動プーリ２６へと伝達されることで、この従動プーリ２６と連結された一方の駆動車輪１０ａが、また、カップリング２５ａを介して回転ブラシ７、および、この回転ブラシ７に連結された他方の駆動車輪１０ｂが、一体的に同方向へと回転する。
【００５５】
このとき、回転ブラシ７の回転に伴い、各清掃部材３２が床面の塵埃を掻き取って吸込口８へと運ぶとともに、駆動車輪１０ａ、１０ｂに取り付けた短い毛の不繊布３４ａ、３４ｂ、長い毛の不繊布３５ａ、３５ｂで除去された塵埃は連通溝部８ａを介して吸込口８へと運ばれる。
【００５６】
上記掃除過程で、摺接部９ａ、９ｂに接する被掃除面は、吸込口８に生じる負圧（吸引力）によって掃除しにくいが、図８に示す摺接部９ａ、９ｂに取り付けられた短起毛布３６ａ、３６ｂ及び長起毛布３７ａ、３７ｂによって掃除され、床ブラシ１のほぼ全幅で掃除をすることができ、特に絨毯を掃除する場合には、摺接部９ａ、９ｂに接する絨毯表面に絡まる毛などは、吸込口８に生じる負圧（吸引力）によって除去しにくいが、短起毛布３６ａ、３６ｂの先端３６ａ１が、長起毛布３７ａ、３７ｂの先端３７ａ１とほぼ同一高さになり、床ブラシ１を後方へと走行（後退）時、短起毛布３６ａ、３６ｂの先端３６ａ１で絨毯表面に絡まる毛などを掻きとることができる。
【００５７】
また、摺接部９ａ、９ｂの前側に短起毛布３６ａ、３６ｂ、後側に長起毛布３７ａ、３７ｂを配置することで、床ブラシ１を後方へと走行（後退）時、長起毛布３７ａ、３７ｂで床ブラシ１を円滑に滑らせ、短起毛布３６ａ、３６ｂの先端３６ａ１で絨毯表面に絡まる毛などを掻きとるので、走行負荷を増加させることなく摺接部９ａ、９ｂの走行面の清掃が十分に行え、さらに、常時被清掃面と接触する長起毛布３７ａ、３７ｂは長い毛を用いているので、磨耗があっても長寿命化を図ることができる。
【００５８】
本実施形態の床ブラシおよびこれを備えた電気掃除機によれば、走行負荷を増加させることなく摺接部の走行面の清掃が十分に行え、特に、絨毯に付着した毛などの除去も行える吸込口体およびこれを備えた電気掃除機が実現する。
【００５９】
なお、上記構成は、アップライト形や床ブラシが搭載可能なハンディ形にも使用することが可能である。
【図面の簡単な説明】
【００６０】
【図１】本発明の一実施の形態の電気掃除機の概念図。
【図２】本発明の一実施の形態の吸込口体の斜視図。
【図３】本発明の一実施の形態の吸込口体の底面図。
【図４】本発明の一実施の形態の吸込口体のケース体を除去した平面図。
【図５】本発明の一実施の形態の吸込口体の回転ブラシ及びカバー体を除去した平面図。
【図６】本発明の一実施の形態の吸込口体の軸受部近傍の拡大図。
【図７】本発明の一実施の形態の吸込口体の回転ブラシの分解斜視図。
【図８】本発明の一実施の形態の吸込口体の摺接部近傍の拡大図。
【図９】本発明の一実施の形態の吸込口体の短起毛布および長起毛布近傍の取付状態を示す概念図。
【図１０】本発明の一実施の形態の吸込口体の短起毛布および長起毛布近傍の取付状態の変形例の概念図。
【図１１】図７に示す摺接部と反対側の摺接部の拡大図。
【符号の説明】
【００６１】
１  床ブラシ
２  ケース体
３  接続管
４  下ケース
４ａ  穴部
５  上ケース
６  前カバー
７  回転ブラシ
８  吸込口
８ａ  連通溝部
９ａ、９ｂ  摺接部
１０ａ、１０ｂ  駆動車輪
１１ａ、１１ｂ  車輪収容部
１２ａ、１２ｂ  バンパー部材
１３  車輪
１４ａ、１４ｂ  カバー体
１５ａ、１５ｂ  ロック部材
１６  モータ
１７  安全装置
１８  壁部
１９ａ、１９ｂ  軸支部
２０ａ、２０ｂ  軸受円板
２１ａ、２１ｂ  軸受溝
２２ａ  プーリ収容溝
２２ｂ  カップリング収容溝
２３  回転体組立２
２４  連結軸
２５ａ  カップリング
２５ｂ  カップリング
２５ａ１  ブラシ側カップリング
２５ａ２  軸受側カップリング
２６  従動プーリ
２６ａ  ギヤ部
２７  駆動プーリ
２８  ベルト
３１  回転ブラシ組立
３２  清掃部材
３３  溝部
３４ａ、３４ｂ  不繊布
３５ａ、３５ｂ  不繊布
３６ａ、３６ｂ  短起毛布
３６ａ１、３６ｂ１  先端
３７ａ、３７ｂ  長起毛布
３７ａ１、３７ｂ１  先端
３８ａ、３８ｂ  後側長起毛布
５１  電気掃除機
５２  掃除機本体
５３  電動送風機
５４  本体吸込口
５５  ホース体
５６  手元操作部
５７  把持部
５８  設定ボタン
５９  延長管
ｈ  段差
Ｒ  連通路
【図１】
2010035793.tif 000003
【図２】
2010035793.tif 000004
【図３】
2010035793.tif 000005
【図４】
2010035793.tif 000006
【図５】
2010035793.tif 000007
【図６】
2010035793.tif 000008
【図７】
2010035793.tif 000009
【図８】
2010035793.tif 000010
【図９】
2010035793.tif 000011
【図１０】
2010035793.tif 000012
【図１１】
2010035793.tif 000013